(57)【特許請求の範囲】
【請求項１】
貯蔵庫の出し入れ口を密閉する扉の正面回動側の一端に取り付けられ、貯蔵庫の出し入れ口の側縁部に固定される受け部に庫外のハンドル操作によりラッチを係脱し、庫内の押棒操作によりラッチと受け部との係合を解除する形式の密閉用セフティーハンドルであって、
本体ケースの一端側に取り付けられ、前記本体ケース一端面の開口から爪部が出没可能に配置され、前記本体ケース内のラッチ駆動機構に作動連結されるラッチと、
前記本体ケースの他端側で正面の中間部から他端面にかけて形成される開口内にハンドル回転軸を介して起伏回動可能に装着され、前記本体ケース内のラッチ駆動機構に作動連結される操作ハンドルと、
前記本体ケースの背面に前記正面の開口に対向して形成される押棒挿通部に挿通され、前記本体ケース内のラッチ駆動機構に作動連結される押棒と、
を備え、
前記本体ケースは、前記ラッチの進退方向に対して直角方向の断面の基本形状を略台形又は略Ｄ形とし、両側面が正面側から背面側に向けて末広がりに、かつ正面とその周囲の各面との間及び正面の周囲の各面間が曲線的に形成されて全体として略流線形をなし、
前記本体ケースの末広がりの両側面の両端側にそれぞれ背面に対して略直角に略Ｕ字形の溝が形成されて、前記各溝の奥側の面に取付ねじ挿通孔を穿設され、前記各溝に前記各側面と一体的な面をなすキャップが前記溝側の係止部と前記キャップ側の被係止部との係合により着脱可能に装着され、
前記溝側の係止部は、前記溝の取付ねじ挿通孔側の開口縁部に突出される凸状部と、前記溝の断面略Ｕ字形の内周面の略中央に前記本体ケースの正面側から背面側に向けて形成されるスリットとを有し、前記キャップ側の被係止部は、前記キャップの前記溝の取付ねじ挿通孔側に対応する端部の表面側に形成され、前記溝側の係止部の凸状部が嵌合可能な凹部、及び当該端部の裏面側に形成され、前記溝側の係止部の凸状部の内側に係合可能な凸部からなる係止端と、前記キャップの裏面の中央に前記溝側の係止部の前記スリットに挿入可能に突設され、先端に前記スリットの縁部内面に係合可能な爪を有する係止爪と、前記キャップの裏面の前記係止端側に前記溝の断面略Ｕ字形の内周面に当接し、前記キャップを前記溝上で支持するための支持部とを有する、
ことを特徴とする密閉用セフティーハンドル。
【請求項２】
貯蔵庫の出し入れ口を密閉する扉の正面回動側の一端に取り付けられ、貯蔵庫の出し入れ口の側縁部に固定される受け部に庫外のハンドル操作によりラッチを係脱し、庫内の押棒操作によりラッチと受け部との係合を解除する形式の密閉用セフティーハンドルであって、
本体ケースの一端側に取り付けられ、前記本体ケース一端面の開口から爪部が出没可能に配置され、前記本体ケース内のラッチ駆動機構に作動連結されるラッチと、
前記本体ケースの他端側で正面の中間部から他端面にかけて形成される開口内にハンドル回転軸を介して起伏回動可能に装着され、前記本体ケース内のラッチ駆動機構に作動連結される操作ハンドルと、
前記本体ケースの背面に前記正面の開口に対向して形成される押棒挿通部に挿通され、前記本体ケース内のラッチ駆動機構に作動連結される押棒と、
を備え、
前記本体ケースは、前記ラッチの進退方向に対して直角方向の断面の基本形状を略台形又は略Ｄ形とし、両側面が正面側から背面側に向けて末広がりに、かつ正面とその周囲の各面との間及び正面の周囲の各面間が曲線的に形成されて全体として略流線形をなし、
前記操作ハンドルは、一端側に前記ハンドル回転軸が通され、前記ハンドル回転軸が前記本体ケースの正面の中間部から他端面にかけて形成される開口の一端側で当該開口の両側の内側面にそれぞれ形成される軸受に支承されて、前記本体ケースの前記開口内に装着され、前記ハンドル回転軸は前記本体ケースの両側面に露出されない、
ことを特徴とする密閉用セフティーハンドル。
【請求項３】
軸受は、開口の両側の内側面においてハンドル回転軸の径と略同じ深さの断面略Ｕ字形に形成される凹部と、前記凹部上に跨って設置され、取付ねじにより固定されるプレートとからなる請求項２に記載の密閉用セフティーハンドル。
【請求項４】
ハンドル回転軸は両端側にそれぞれ小径部を有し、軸受の凹部に前記ハンドル回転軸の前記各小径部に嵌合可能な突状補強部が形成される請求項３に記載の密閉用セフティーハンドル。
【発明の詳細な説明】
【技術分野】
【０００１】
本発明は、業務用冷蔵庫やプレハブ冷凍冷蔵庫などの貯蔵庫の出し入れ口を密閉する扉に取り付けられ、扉の閉止、施錠に使用する密閉用セフティーハンドルに関し、特に、庫外のハンドル操作によりラッチを貯蔵庫側の受け部に係脱し、庫内の押棒操作によりラッチと受け部との係合を解除する形式の密閉用セフティーハンドル関する。
【背景技術】
【０００２】
一般に、業務用冷蔵庫やプレハブ冷凍冷蔵庫などの大型の貯蔵庫は、出し入れ口を密閉する扉が扉の正面に取り付けられた庫外の操作ハンドルの操作により開閉されるようになっている。また、この種の貯蔵庫では、作業者が出し入れ口を通じて貯蔵庫内に入り、貯蔵物を出し入れするため、作業者が貯蔵庫内で作業をしている間に扉が閉じられた場合に備えて、庫内の押棒の操作により扉を開けることができるようになっている。このような扉に用いられる扉用ロックハンドル装置が特許文献１などにより提案されている。
【０００３】
特許文献１の扉用ロックハンドル装置は本願出願人の提案によるもので、この装置は、図２０、図２１に示すように、扉に装着される装置本体９１と、装置本体９１に枢軸によって連結された操作ハンドル９２と、装置本体９１に進退自在に装備されたラッチ９３と、装置本体９１内部に枢軸によって連結され、操作ハンドル９２に押されてラッチ９３を後退摺動させる作動レバー９４と、装置本体９１内部に枢軸によって連結され、庫内側押棒９５で押されたときに作動レバー９４を駆動するリセットレバー９６と、装置本体９１に固着され、ラッチ９３と係脱してラッチ９３の後退摺動を制止するロックプレート９７と、装置本体９１に装備され、ロックプレート９７とラッチ９３との係合を解除するロックカム９８１をロータ９８０に固着した錠前９８とからなり、庫内側押棒９５でリセットレバー９６を回動させて、ロックプレート９７とラッチ９３との係合を解き、リセットレバー９６に連動した作動レバー９４の回動によって、ラッチ９３を後退摺動させるようになっている。
【先行技術文献】
【特許文献】
【０００４】
【特許文献１】実開昭６０−７０１５７号公報
【発明の概要】
【発明が解決しようとする課題】
【０００５】
しかしながら、上記従来の扉用ロックハンドル装置では、次のような問題がある。
（１）この装置では、図２０に示すように、装置本体９１の本体ケースが横に長い略長方形の箱形で、正面とその周囲の各面との間、及び正面の周囲の各面間が略直角に形成されて全体として角張った形状になっているため、本体ケース１の上面などにごみが溜まりやすく、清掃がしにくい。
（２）この装置では、図２０に示すように、操作ハンドル９２の枢軸が装置本体１の本体ケースの両側面間に架け渡されて、枢軸の両端部が本体ケースの両側面に露出されるため、本体ケースの意匠的デザインを損ね、また、この枢軸の露出部分にごみが溜まりやすく、清掃がしにくい。
（３）この装置では、図２０に示すように、装置本体９１の本体ケースの両側面の背面側の各縁部から取付部が翼状に張り出されるため、上部側の取付部の上縁部などにごみが溜まりやすく、汚れやすい。また、この取付部により、本体ケース全体がより角張ったものになり、より清掃がしにくい。また、この装置の扉への取り付け時に取付部に取付ねじの頭部が露出されるため、見栄えが悪く、また、この取付ねじの露出部にごみが溜まりやすく、清掃がしにくい。この取付部は取付ねじが清掃の障害物となり、清掃がしにくく、取付ねじ頭部の周囲の汚れは除去できないことがある。
（４）例えばレストランの厨房などに設置される業務用冷蔵庫のハンドルは衛生管理上清潔できれいであることが求められており、ハンドルは清掃のしやすいものが望ましい。
【０００６】
本発明は、このような従来の問題を解決するもので、この種の装置において、本体ケースの意匠的デザインの向上を図ること、併せて本体ケースの表面にごみを溜まりにくくし、清掃をしやすくすること、を目的とする。
【課題を解決するための手段】
【０００７】
上記目的を達成するために、本発明（１）は、
貯蔵庫の出し入れ口を密閉する扉の正面回動側の一端に取り付けられ、貯蔵庫の出し入れ口の側縁部に固定される受け部に庫外のハンドル操作によりラッチを係脱し、庫内の押棒操作によりラッチと受け部との係合を解除する形式の密閉用セフティーハンドルであって、
本体ケースの一端側に取り付けられ、前記本体ケース一端面の開口から爪部が出没可能に配置され、前記本体ケース内のラッチ駆動機構に作動連結されるラッチと、
前記本体ケースの他端側で正面の中間部から他端面にかけて形成される開口内にハンドル回転軸を介して起伏回動可能に装着され、前記本体ケース内のラッチ駆動機構に作動連結される操作ハンドルと、
前記本体ケースの背面に前記正面の開口に対向して形成される押棒挿通部に挿通され、前記本体ケース内のラッチ駆動機構に作動連結される押棒と、
を備え、
前記本体ケースは、前記ラッチの進退方向に対して直角方向の断面の基本形状を略台形又は略Ｄ形とし、両側面が正面側から背面側に向けて末広がりに、かつ正面とその周囲の各面との間及び正面の周囲の各面間が曲線的に形成されて全体として略流線形をなし、
前記本体ケースの末広がりの両側面の両端側にそれぞれ背面に対して略直角に略Ｕ字形の溝が形成されて、前記各溝の奥側の面に取付ねじ挿通孔を穿設され、前記各溝に前記各側面と一体的な面をなすキャップが前記溝側の係止部と前記キャップ側の被係止部との係合により着脱可能に装着され、
前記溝側の係止部は、前記溝の取付ねじ挿通孔側の開口縁部に突出される凸状部と、前記溝の断面略Ｕ字形の内周面の略中央に前記本体ケースの正面側から背面側に向けて形成されるスリットとを有し、前記キャップ側の被係止部は、前記キャップの前記溝の取付ねじ挿通孔側に対応する端部の表面側に形成され、前記溝側の係止部の凸状部が嵌合可能な凹部、及び当該端部の裏面側に形成され、前記溝側の係止部の凸状部の内側に係合可能な凸部からなる係止端と、前記キャップの裏面の中央に前記溝側の係止部の前記スリットに挿入可能に突設され、先端に前記スリットの縁部内面に係合可能な爪を有する係止爪と、前記キャップの裏面の前記係止端側に前記溝の断面略Ｕ字形の内周面に当接し、前記キャップを前記溝上で支持するための支持部とを有する、
ことを要旨とする。
また、上記目的を達成するために、本発明（２）は、
貯蔵庫の出し入れ口を密閉する扉の正面回動側の一端に取り付けられ、貯蔵庫の出し入れ口の側縁部に固定される受け部に庫外のハンドル操作によりラッチを係脱し、庫内の押棒操作によりラッチと受け部との係合を解除する形式の密閉用セフティーハンドルであって、
本体ケースの一端側に取り付けられ、前記本体ケース一端面の開口から爪部が出没可能に配置され、前記本体ケース内のラッチ駆動機構に作動連結されるラッチと、
前記本体ケースの他端側で正面の中間部から他端面にかけて形成される開口内にハンドル回転軸を介して起伏回動可能に装着され、前記本体ケース内のラッチ駆動機構に作動連結される操作ハンドルと、
前記本体ケースの背面に前記正面の開口に対向して形成される押棒挿通部に挿通され、前記本体ケース内のラッチ駆動機構に作動連結される押棒と、
を備え、
前記本体ケースは、前記ラッチの進退方向に対して直角方向の断面の基本形状を略台形又は略Ｄ形とし、両側面が正面側から背面側に向けて末広がりに、かつ正面とその周囲の各面との間及び正面の周囲の各面間が曲線的に形成されて全体として略流線形をなし、
前記操作ハンドルは、一端側に前記ハンドル回転軸が通され、前記ハンドル回転軸が前記本体ケースの正面の中間部から他端面にかけて形成される開口の一端側で当該開口の両側の内側面にそれぞれ形成される軸受に支承されて、前記本体ケースの前記開口内に装着され、前記ハンドル回転軸は前記本体ケースの両側面に露出されない、
ことを要旨とする。
この場合、軸受は、開口の両側の内側面においてハンドル回転軸の径と略同じ深さの断面略Ｕ字形に形成される凹部と、前記凹部上に跨って設置され、取付ねじにより固定されるプレートとからなることが好ましい。
また、この場合、ハンドル回転軸は両端側にそれぞれ小径部を有し、軸受の凹部に前記ハンドル回転軸の前記各小径部に嵌合可能な突状補強部が形成されることが好ましい。
【発明の効果】
【０００８】
本発明（１）のセフティーハンドルによれば、本体ケースは、ラッチの進退方向に対して直角方向の断面の基本形状を略台形又は略Ｄ形とし、両側面を正面側から背面側に向けて末広がりに、かつ正面とその周囲の各面との間及び正面の周囲の各面間を曲線的に形成して全体として略流線形の形状にしたので、本体ケースの意匠的デザインの向上を図ることができ、併せて本体ケースの表面にごみが溜まりにくく、清掃をしやすくすることができる、という本発明独自の格別な効果を奏する。
特に、このセフティーハンドルでは、本体ケースの末広がりの両側面の両端側にそれぞれ背面に対して略直角に略Ｕ字形の溝が形成されて、各溝の奥側の面に取付ねじ挿通孔を穿設され、各溝に各側面と一体的な面をなすキャップが溝側の係止部とキャップ側の被係止部との係合により着脱可能に装着されるので、取付ねじの本体ケース表面からの露出をなくして、本体ケースの意匠的デザインを向上させることができ、また、取付ねじにごみが付着するのを防止して、本体ケースの表面にごみを溜まりにくくし、通常は本体ケースをキャップとともに拭き掃除をすればよく、清掃をしやすくすることができる、という利点を有する。そして、溝側の係止部は、溝の取付ねじ挿通孔側の開口縁部に突出される凸状部と、溝の断面略Ｕ字形の内周面の略中央に本体ケースの正面側から背面側に向けて形成されるスリットとを有し、キャップ側の被係止部は、キャップの溝の取付ねじ挿通孔側に対応する端部の表面側に形成され、溝側の係止部の凸状部が嵌合可能な凹部、及び当該端部の裏面側に形成され、溝側の係止部の凸状部の内側に係合可能な凸部からなる係止端と、キャップの裏面の中央に溝側の係止部のスリットに挿入可能に突設され、先端にスリットの縁部内面に係合可能な爪を有する係止爪と、キャップの裏面の係止端側に溝の断面略Ｕ字形の内周面に当接し、キャップを溝上で支持するための支持部とを有し、キャップ裏面の支持部を溝の内周面に当接させて溝上に支持し、キャップの係止端の凹部及び凸部と溝の凸状部とを係合させ、キャップの係止爪を溝のスリットに挿入して押し込むことにより、係止爪先端の爪を溝のスリットの縁部内面に係合させることにより、キャップを溝に取り付けるようにしたので、キャップをワンタッチで取り付けることができ、また反対に、キャップの係止端と溝の凸状部との間にマイナスドライバーの先端を差し込み、この先端でキャップを持ち上げることで、キャップを溝から簡単に取り外すことができる、という利点を併せて有する。
本発明（２）のセフティーハンドルによれば、本体ケースは、ラッチの進退方向に対して直角方向の断面の基本形状を略台形又は略Ｄ形とし、両側面を正面側から背面側に向けて末広がりに、かつ正面とその周囲の各面との間及び正面の周囲の各面間を曲線的に形成して全体として略流線形の形状にしたので、本体ケースの意匠的デザインの向上を図ることができ、併せて本体ケースの表面にごみが溜まりにくく、清掃をしやすくすることができる、という本発明独自の格別な効果を奏する。
特に、このセフティーハンドルでは、操作ハンドルは、一端側にハンドル回転軸が通され、ハンドル回転軸が本体ケースの正面の中間部から他端面にかけて形成される開口の一端側で当該開口の両側の内側面にそれぞれ形成される軸受に支承されて、本体ケースの開口内に装着され、ハンドル回転軸は本体ケースの両側面に露出されないので、この点でも、本体ケースの意匠的デザインを向上させることができ、併せて本体ケースの表面にごみが溜まりにくく、清掃をしやすくすることができる、という利点を有する。
【図面の簡単な説明】
【０００９】
【図１】本発明の一実施の形態に係る密閉用セフティーハンドルの構成を示す図（（ａ）は正面図（ｂ）は平面断面図（ｃ）は背面図）
【図２】同セフティーハンドルの特にケースの構成を示す図（（ａ）は正面図（ｂ）は平面図（ｃ）は背面図）
【図３】同セフティーハンドルの特に取付ベースの構成を示す図（（ａ）は正面図（ｂ）は平面図（ｃ）は平面断面図）
【図４】同セフティーハンドルの特にケースの溝とキャップの構成を示す図（断面図）
【図５】同セフティーハンドルの特にケースの軸受の構成を示す図（断面図）
【図６】同セフティーハンドルの特にケースの軸受と操作ハンドルのハンドル回転軸の構成を示す図（断面図）
【図７】同セフティーハンドルの特にケースの軸受と操作ハンドルのハンドル回転軸の構成を示す図（分解斜視図）
【図８】同セフティーハンドルの特にラッチの軸受の構成を示す図（（ａ）は正面図（ｂ）は平面図（ｃ）は背面図（ｄ）は左端面図）
【図９】同セフティーハンドルの特に操作ハンドルの構成を示す図（（ａ）は正面図（ｂ）は平面図（ｃ）は平面断面図（ｄ）は背面図）
【図１０】同セフティーハンドルの特に作動レバーの構成を示す図（平面図）
【図１１】同セフティーハンドルの特にロックプレートの構成を示す図（（ａ）は正面図（ｂ）は平面図）
【図１２】同セフティーハンドルの特にロックカムの構成を示す図（断面図）
【図１３】同セフティーハンドルの特にリセットレバーの構成を示す図（（ａ）は平面図（ｂ）は正面図）
【図１４】同セフティーハンドルの貯蔵庫の扉への取り付け例を示す図（平面断面図）
【図１５】同セフティーハンドルの動作を示す図（平面断面図）
【図１６】同セフティーハンドルの動作を示す図（平面断面図）
【図１７】同セフティーハンドルの動作を示す図（平面断面図）
【図１８】同セフティーハンドルの動作を示す図（平面断面図）
【図１９】同セフティーハンドルの動作を示す図（平面断面図）
【図２０】従来の扉用ロックハンドル装置の構成を示す図（正面図）
【図２１】同扉用ロックハンドル装置の内部構成を示す図（平面断面図）
【発明を実施するための形態】
【００１０】
次に、この発明を実施するための形態について図を用いて説明する。図１に密閉用セフティーハンドルハンドル（以下、単にセフティーハンドルという。）を示している。
【００１１】
図１に示すように、セフティーハンドルＨは、業務用冷蔵庫やプレハブ冷凍冷蔵庫など大型の貯蔵庫の出し入れ口を密閉する扉の正面回動側の一端、この場合、左端に取り付けられ、貯蔵庫の出し入れ口の左側縁部に固定される受け部に庫外のハンドル操作によりラッチを係脱し、庫内の押棒操作によりラッチと受け部との係合を解除する形式のもので、本体ケース１と、本体ケース１の一端側、この場合、左端側に取り付けられ、本体ケース１の一端面、この場合、左端面の開口部１１から爪部２２が出没可能に配置され、本体ケース１内の作動レバー５、リセットレバー６、錠前ユニット７、ロックプレート８からなるラッチ駆動機構Ｄに作動連結されるラッチ２と、本体ケース１の他端側、この場合、右端側で正面の中間部から他端面、この場合、右端面にかけて形成される開口１３内にハンドル回転軸３２を介して起伏回動可能に装着され、本体ケース１内のラッチ駆動機構Ｄに作動連結される操作ハンドル３と、本体ケース１の背面に正面の開口１３に対向して形成される押棒挿通部１９に挿通され、本体ケース１内のラッチ駆動機構Ｄに作動連結される押棒３（図１４参照）とを備えて構成される。
【００１２】
本体ケース１は、アルミニウム合金により形成され、図２、図３に示すように、本体ケース１の正面及びその周囲の各面（上側面、左端面、下側面、右端面）をなすケース１０と、アルミニウム合金により形成され、本体ケース１の背面をなす取付ベース１７とからなり、全体として横に長い箱形に形成され、一端側、この場合、左端側が、一端面、この場合、左端面に開口部１１を有するラッチ取付部１２、他端側、この場合、右端側が正面の上下方向中間で、左右方向中間部から他端面、この場合、右端面にかけて開口１３を有するハンドル装着部１４、ラッチ取付部１２とハンドル装着部１４との間が正面に開口１５を有する錠前ユニット取付部１６で、背面の取付ベース１７に錠前ユニット取付部１６に対向してロックプレート取付部１８、ハンドル装着部１４に対向して押棒挿通部１９がそれぞれ設けられる。
この場合、ケース１０は、図２に示すように、ラッチ２の進退方向に対して直角方向の断面の基本形状が略等脚台形で、上下の両側面が正面側から背面側に向けて末広がりに、かつ正面とその周囲の各面（上側面、左端面、下側面、右端面）との間及び正面の周囲の各面（上側面、左端面、下側面、右端面）間が曲線的に形成され、さらに、上下の各側面の左端側にそれぞれ左端面に向けて漸次幅狭になるテーパが付けられて、全体として略流線形をなす。なお、ケース１０の背面は略船形の開口１００になっている。
また、このケース１０の末広がりに傾斜された上下両側面の左右両端側にそれぞれ背面に対して略直角に各側面の外面側から内面側に向けて略Ｕ字形に溝１０１が形成されて、各溝１０１の奥側の面にこのケース１０（つまり、このセフティーハンドルＨ）を扉に取り付けるための取付ねじ挿通孔１０２が穿設され、各溝１０１に各側面と一体的な面をなすキャップ１０７（図１（ａ）参照）が溝側の係止部とキャップ側の被係止部との係合により着脱可能に装着される。この場合、ケース１０上下両側面の各溝１０１の反対側、すなわち、ケース１０の内面には、図２（ｃ）に示すように、各溝１０１を包囲するように断面略Ｕ字形の柱状に形成された取付ボス１０３が設けられ、これらの取付ボス１０３はそれぞれケース１０の背面開口１００まで延ばされ、奥側の面の取付ねじ挿通孔１０２はこの取付ボス１０４を貫通してケース背面１００に開口される。また、各溝１０１において溝側の係止部は、図４に示すように、溝１０１の取付ねじ挿通孔１０２側の開口縁部に突出される凸状部１０５と、断面略Ｕ字形の内周面の周方向略中央に本体ケース１の正面側から背面側に向けて形成されるスリット１０６とからなり、キャップ側の被係止部は、キャップ１０７の溝１０１の取付ねじ挿通部１０２側に対応する端部の表面側半部に形成され、溝側の係止部の凸状部１０５が嵌合可能な凹部１０９、及び当該端部の裏面側半部に形成され、溝側の係止部の凸状部１０５の内側に係合可能な凸部１１０を有する係止端１１１と、キャップ１０７の裏面の溝１０１のスリット１０６の正面側端部に対向する位置に溝側の係止部のスリット１０６に挿入可能に突設され、先端にスリット１０６の縁部内面、この場合、スリット１０６の正面側端部の縁部内面に係合可能な爪１１２を有する係止爪１１３と、キャップ１０７の裏面の係止端１１１の両側に溝１０１の断面略Ｕ字形の内周面に当接し、キャップ１０７を溝１０１上で支持するための一対の支持部１１４とからなる。しかして各キャップ１０７は、キャップ１０７の一対の支持部１１４を溝１０１の内周面に当接させてキャップ１０７を溝１０１上に支持しながら、キャップ１０７の係止端１１１の凹部１０９及び凸部１１０と溝１０１の凸状部１０５とを係合させ、キャップ１０７の係止爪１１３を溝１０１のスリット１０６に挿入して押し込むことにより、係止爪１１３先端の爪１１２が溝１０１のスリット１０６の端部縁部の外面を乗り超えてこの端部縁部の内面に係合され、この係止爪１１３とスリット１０６縁部との係合により、各溝１０１に各キャップ１０７の表面がケース１０の各側面と略面一となって嵌め込み固定される。
また、このケース１０には、図２（ｂ）に示すように、上下両側面の他端、この場合、右端で正面側の縁部に近接する位置に、南京錠の掛け金用の穴１０４が円形に穿設され、後述する操作ハンドル３とともに南京錠の掛け金が通されて、操作ハンドル３を南京錠で施錠可能としてある。
さらに、このケース１０の内部には、図２（ｃ）に示すように、ケース１０背面の開口１００に嵌め込まれる取付ベース１７を固定するためのねじ孔を有する取付ボス１１５が併せて形成される。この場合、取付ボス１１５は右端面の内面略中央と、上下両側面の内面左端部側にそれぞれ形成される。
また、この本体ケース１において、ラッチ取付部１２には、図２（ｃ）に示すように、常態のラッチ２の設置位置でラッチ２の長さ方向中間部に本体ケース１の開口部１１に対向して立設され、コイルスプリングの端部を押え可能な略平板状の第１のばね押え部材１１６と、図３（ａ）に示すように、このばね押え部材１１６に近接して並設され、コイルスプリングの端部側の周囲を押え可能な略半円形の保持部を有する第２のばね押え部材１１７とを有する。この場合、第１のばね押え部材１１６は略平板状でケース１０正面の内面に背面に向けて立設され、第２のばね押え部材１１７は略平板状で先端に略半円形の保持部を有し、取付ベース１７にケース１０の正面に向けて立設される。
さらに、この本体ケース１において、ケース１０正面の中央部から右端面にかけて形成される開口１３の左端側で当該開口１３の上下両側の内側面にそれぞれ、図５に示すように、ハンドル回転軸３２のための軸受１１８が形成される。この場合、軸受１１８は、開口１３の上下両側の内側面においてハンドル回転軸３２の径と略同じ深さの断面略Ｕ字形に形成される凹部１１９と、この凹部１１９上に跨って設置され、取付ねじにより固定されるプレート１２３とからなる。また、この場合、各凹部１１９は、図６に示すように、開口１３の上下の各縁部からケース１０の上下の各側面までの間に各側面を穿つことなく形成され、また、開口１３側から順次ハンドル回転軸３２の径より少し大きい大径部１２０、ハンドル回転軸３２の径と略同じか僅かに大きい中径部１２２、ハンドル回転軸３２の径よりも小さい小径部１２１、ハンドル回転軸３２の径と略同じか僅かに大きい中径部１２２が形成されて、中径部１２２と中径部１２２との間の小径部１２１が突状補強部になっている。
一方、取付ベース１７は、図３に示すように、ケース１０の背面開口１００に嵌合可能な略船形のプレートからなり、ケース１０に取り付けられて内面となる一方の面には、左端側にラッチ２の設置面が形成され、ケース１０の錠前ユニット取付部１６に対向する位置を含む中間にロックプレート取付部１８がロックプレート８が嵌合可能にロックプレート８と略同じ外形の凹状に形成され、この取付ベース１７の右端部側にハンドル装着部１４に対向して押棒挿通部１９が円形に貫通して形成される。また、この取付ベース１７の上下両側部には、ケース１０の各溝１０１のケース１０内面に形成された各取付ボス１０３に対応する位置にそれぞれ、各取付ボス１０３の端部が嵌合可能な略Ｕ字形の切り欠き１２４が形成され、上下両側部及び右端部でケース１０内面に形成された各取付ボス１１５に対向する位置にそれぞれ、取付ねじ挿通孔１２５が貫通形成される。
このようにして本体ケース１は各部にラッチ２、後述するラッチ駆動機構Ｄを構成する各部材、操作ハンドル３、押棒４が組み付けられて、ケース１０背面の開口１００に取付ベース１７が取り付けられる。この場合、取付ベース１７は、各切り欠き１２４にケース１０内面の各取付ボス１０３が嵌合されてケース１０背面の開口１００内に嵌め込まれ、取付ねじｓ１が取付ベース１７の各取付ねじ挿通孔１２５に挿通され、ケース１０内面の各取付ボス１１５のねじ孔に締結されて、ケース１０の背面に固定される。
【００１３】
図１において、ラッチ２は、ポリアセタール樹脂とステンレス鋼とにより形成され、一端、この場合、左端に爪部２２を有し、背面の他端側、この場合、背面の右端側に係止溝２３を有し、ラッチ取付部１２に本体ケース１の両端方向に進退可能に配置され、かつばね部材により常態としてラッチ取付部１２の開口部１１に向けて付勢されて爪部２２が当該開口部１１から突出される。
この場合、ラッチ２は、図８に示すように、ステンレス鋼により形成され、左端側を断面コ字形で爪形に形成されて連結される一対のフレーム２１からなり、ラッチ２全体の外形をなす本体部２０と、ポリアセタール樹脂により形成され、本体部２０の各フレーム２１の左端側の断面コ字形内に嵌め込み固定され、ラッチ２の爪部２２をなす爪部材２２１と、ステンレス鋼により形成され、本体部２０の各フレーム２１の他端間に架設され、操作ハンドル３のフック３１、作動レバー５の係止部５２に係合されるラッチ２の右端をなすラッチ軸２４とにより構成される。
本体部２０をなす一対のフレーム２１はそれぞれ、一端がナイフのブレード形状に形成され、左端の内面に凸起２１１、左端の背面側縁部にカシメ用に切り抜かれた凸状部２１２、右端にラッチ軸挿通孔２１３、右端の背面側縁部に係止溝２３を有する一対の上下両側面フレーム２１ａと、この上下両側面フレーム２１ａの左端から右端方向所定の範囲の上下両側面フレーム２１ａ間に形成されて上下両側面フレーム２１ａを連結し、既述のカシメ用の凸状部２１２よりも少し左端側となる位置にカシメ用に切り起された突状片２１４を有する中間フレーム２１ｂとからなる。爪部材２２１は、ポリアセタール樹脂により形成され、一対のフレーム２１の左端からカシメ用の突状片２１４までの上下両側面フレーム２１ａと中間フレーム２１ｂに囲まれた範囲に嵌合可能な断面ナイフブレード形状のブロックからなり、正面の左端に本体部２０の中間フレーム２１ｂの左端に係合可能な突状部２１５、上下両側面に本体部２０の各凸起２１１に係合可能な溝２１６、背面の右端側の上下両側縁部に本体部２０のカシメ用の各凸状部２１２に係合可能な溝２１７、右端面（爪部材２２１のラッチ２他端方向に向けられる面）にコイルスプリングの端部が嵌合可能な円形の凹部２１８及びこの凹部２１８の底面にさらに本体部２０のカシメ用の突状片２１４に係合可能な凹部２１９を有する。ラッチ軸２４はステンレス鋼からなるピンである。
しかしてラッチ２は、本体部２０の左端側に爪部材２２１が本体部２０の各凸起２１１と爪部材２２１の各溝２１６とを係合されて嵌め込まれ、上下両側面フレーム２１ａのカシメ用の各凸状部２１２及び中間フレーム２１ｂの突状片２１４が爪部材２２１の各溝２１７及び凹部２１９にカシメられて固定され、本体部２０の右端のラッチ軸挿通孔２１３間にラッチ軸２４が通され、ラッチ軸２４の両端がカシメられて回転可能に架け渡される。
このようにしてラッチ２は、図１に示すように、ラッチ取付部１２に本体ケース１の左右両端方向に進退可能に設置され、ラッチ２のばね部材として大径のコイルスプリング２５Ｌに小径のコイルスプリング２５Ｓが組み込まれてなる２重のコイルスプリング２５が左端を爪部材２２１の凹部２１８に嵌合され、右端をラッチ取付部１２の第１のばね押え部材１１６により、左端の周囲をラッチ取付部１２の第２のばね押え部材１１７により押えられて、爪部材２２１と第１のばね押え部材１１６との間に配置されて、この２重のコイルスプリング２５により常態としてラッチ取付部１２の開口部１１に向けて付勢されて、爪部２２が当該開口部１１から突出される。
【００１４】
図１において、操作ハンドル３は、アルミニウム合金により形成され、背面の一端側、この場合、枢支側の端部側（図中、左端部側）にフック３１（図９参照）及び作動レバー収納部３０を有し、フック３１とラッチ２のラッチ軸２４が係合可能に左端側がハンドル装着部１４にハンドル回転軸３２を介して連結されて、ハンドル装着部１４の開口１３内に起伏回動可能に装着され、ハンドル装着部１４から起立方向への回動操作によりフック３１をハンドル装着部１４右端方向に回動させてラッチ２を後退駆動する。
この場合、操作ハンドル３は、図９に示すように、左端部側がハンドル装着部１４の開口１３内に嵌合可能なハンドルレバー３ａと、ハンドルレバー３ａの右端に連続してハンドル装着部１４の開口１３から外部に延びるハンドルグリップ３ｂとからなり、ハンドルレバー３ａ及びハンドルグリップ３ｂの正面はケース１０の正面と一体的に曲面形状になっている。そして、ハンドルレバー３ａの背面は上下両側縁に沿って上下両側片３１１が平板状に突出されて溝形に形成される。上下両側片３１１は左端から枢支部分付近までが突出長の小さい小片部３１１Ｓでその右端側が突出長を大きくした略矩形状の大片部３１１Ｌとしてある。各小片部３１１Ｓにハンドル回転軸３２を通すための軸挿通部３１０が形成される。
フック３１は、操作ハンドル３背面の左端で幅方向中央、すなわち上下両側片の小片部３１１Ｓ間に略カマ状に突出形成され、操作ハンドル３の作動レバー収納部３０は、操作ハンドル３背面の左端でフック３１の上下両側に作動レバー５が嵌合可能に溝形に、すなわち、フック３１と上下両側片３１１の小片部３１１Ｓとの間に形成される。なお、ハンドル回転軸３２を通すための軸挿通部３１０は各小片部３１１Ｓにおいてフック３１の回転中心となる位置に設けられる。
また、この操作ハンドル３のハンドルレバー３ａの他端、この場合、右端部に、ケース１０の上下両側面の右端で正面側の縁部に近接する位置に形成された南京錠の掛け金用の穴１０４に連通する穴３３が円形に穿設され、操作ハンドル３がハンドル装着部１４の開口１３内に倒伏された状態で、これらの穴１０４、３３が連通され、南京錠の掛け金が挿通可能になっている。これにより、操作ハンドル３を南京錠で施錠可能にしてある。
しかして操作ハンドル３は、作動レバー収納部３０に後述の作動レバー５が収納されて、左端側の上下両側片３１１の小片部３１１Ｓ間に作動レバー５とともにフック３１を貫通してハンドル回転軸３２（図１参照）が通され、図７に示すように、ハンドル回転軸３２が本体ケース１の正面の開口１３の左端側で当該開口１３の両側の内側面にそれぞれ形成される軸受１１８に支承されて、本体ケース１の開口１３内に装着される。この場合、ハンドル回転軸３２は、図６に示すように、両端側にそれぞれ小径部３２１を有し、両端側が軸受１１８の略Ｕ字形の凹部１１９に挿入されて、両端側の小径部３２１の内側の部分が凹部１１９の大径部１２０、中径部１２２に嵌合され、小径部３２１が小径部１２１、すなわち突状補強部１２１に係合され、小径部３２１の外側の部分が中径部１２２に嵌合される。そして、この状態で、図７に示すように、凹部１１９上にプレート１２３が跨って設置され、取付ねじにより固定される。
【００１５】
図１において、ラッチ駆動機構Ｄの一部をなす作動レバー５は、ステンレス鋼により形成され、一端、この場合、左端に係止部５２を有し、係止部５２とラッチ２のラッチ軸２４が係合可能にハンドル装着部１４のハンドル回転軸３２に回動可能に取り付けられて、左端側が操作ハンドル３の作動レバー収納部３０に離脱可能に収納され、右端が押棒挿通部１９に延び、操作ハンドル３の起立方向の回動操作により操作ハンドル３のフック３１とともに係止部５２をハンドル装着部１４の右端方向に回動させてラッチ２を後退駆動し、右端に本体ケース１の背面側から正面方向への押圧を受けて係止部５２を作動レバー収納部３０からハンドル装着部１４の右端方向に離脱回動し、操作ハンドル３のフック３１から独立してラッチ２を後退駆動する。
この場合、作動レバー５は、図１０に示すように、一対のレバー部材５１からなり、各レバー部材５１は全体が略への字形に形成され、左端に係止部５２が操作ハンドル３のフック３１と略同じカマ状に形成される。そして、各レバー部材５１の左端において係止部５２の回転中心となる位置にハンドル回転軸３２を通すための軸挿通部５０が設けられる。また、この作動レバー５は各レバー部材５１の中間部でハンドル装着部１４のハンドル回転軸３２よりも右端側の位置の間にハンドル回転軸３２と平行にリセットレバー６を取り付けるための軸５３が架設される。
しかして作動レバー５は、図１に示すように、各レバー部材５１の左端側が操作ハンドル３の作動レバー収納部３０に嵌め込まれて収納され、既述のとおり、軸挿通部５０に操作ハンドル３に通されるハンドル回転軸３２が挿通され、右端側が操作ハンドル３のハンドルレバー３ａ背面の上下両側片３１１の各小片部３１１Ｓの内側に沿って（図９参照）取付ベース１７の押棒挿通部１９まで延ばされる。これにより、作動レバー５はが操作ハンドル３のフック３１により補強され、作動レバー収納部３０内にがたつきなく取り付けられる。
【００１６】
図１において、ラッチ駆動機構Ｄの一部をなすロックプレート８は、ステンレス鋼により形成され、取付ベース１７のロックプレート取付部１８にこのロックプレート取付部１８とラッチ２背面の係止溝２３との間を傾動可能に取り付けられ、ばね手段５４により常態としてラッチ２の係止溝２３に係合し、ラッチ２の後退を規制する。
この場合、ロックプレート８は、図１１に示すように、全体が平板状で、右端に取付ねじ挿通孔８０を有する矩形状の固定部８１と、固定部８１から左側に正面方向斜めに延び、左端側に上下に突出される張り出し部８２１を有する可動部８２と、可動部８２の左側に正面方向の屈曲部８３を介して延びる受圧部８４とからなり、受圧部８４は可動部８２よりも小さい略五角形に形成され、上側の斜めの縁部に背面方向に斜めに延びるガイド片８４１が形成される。
しかしてロックプレート８は、図１に示すように、ロックプレート取付部１８に設置され、受圧部８４とロックプレート取付部１８との間にばね手段としてコイルスプリング８５が介在されて、固定部８１が取付ねじにより固定され、本体ケース１内において、可動部８２の上下の各張り出し部８２１（図１１参照）がラッチ２の係止溝２３に係合され、受圧部８４（図１１参照）が錠前ユニット挿着部１６に対向配置される。
【００１７】
図１において、ラッチ駆動機構Ｄの一部をなす錠前ユニット７は、錠前ユニット挿着部１６に挿着されて本体ケース１正面の開口１５に鍵穴７０を表出され、鍵穴７０に差し込まれる鍵Ｋの操作によりロータ７１を回転する形式で、錠前ユニット７のロータ７１の先端にロックカム７２が連結され、錠前ユニット７の解錠操作により、ロックカム７２でロックプレート８をロックプレート取付部１８に押圧係合して、ロックプレート８とラッチ２の係止溝１２との係合を解除し、錠前ユニット７の施錠操作により、ロックカム７２のロックプレート８に対する押圧係合を解除し、ロックプレート８をコイルスプリング８５の付勢力によりラッチ２の係止溝２３に係合させる。
この場合、錠前ユニット７は所謂シリンダー錠である。ロックカム７２は、図１２に示すように、一端、この場合、正面側に向けられる端部に取付ねじ挿通孔を有する円筒部７２１と、円筒部７２１の他端縁部、この場合、背面側に向けられる縁部の一部から円弧状に延び、片側一方の側縁部、この場合、ロックプレート８のガイド片８４１に対応する側縁部が螺旋状に形成される円弧状カム部７２２とからなる。このロックカム７２は、円筒部７２１が錠前ユニット７のロータ７１の端部に同心的に配置され、取付ねじ挿通孔から通される取付ねじにより固定される。
しかして錠前ユニット７は、図１に示すように、錠前ユニット挿着部１６に挿着固定されて、鍵穴７０が本体ケース１の正面に表出され、ロックカム７２は本体ケース１内でロックカム７２の円弧状カム部７２２がロックプレート８のガイド片８４１の縁部と受圧部８４との間で係合可能にロックプレート８に対向配置される。
【００１８】
図１において、ラッチ駆動機構Ｄの一部をなすリセットレバー６は、ステンレス鋼により形成され、一端、この場合、左端に押圧部６１１を有し、他端、この場合、右端に押圧作動部６１２を有し、作動レバー５の中間部でハンドル装着部１４のハンドル回転軸３２よりも作動レバー５の右端側にハンドル回転軸３２と平行に配設される軸５３を介して回動可能に取り付けられて、押圧部６１１がロックプレート８上に配置されるとともに押圧作動部６１２が押棒挿通部１９と作動レバー５の右端との間に配置され、右端の押圧作動部６１２に本体ケース１の背面側から正面方向の押圧を受けて、押圧作動部６１２で作動レバー５の右端を押圧回動するとともに、押圧部６１１でロックプレート８をロックプレート取付部１８に押圧傾動させる。
この場合、リセットレバー６は、一対のレバー部材６１が重合されてなる。各レバー部材６１は全体が略への字形に形成され、押圧部６１１が略ナタ状に形成され、押圧作動部６１２が略羽状に形成され上下方向に張り出される。そして、各レバー部材６１の中間部正面側の縁部でリセットレバー６の回動中心となる位置に軸５３を通すための軸挿通部６１３が形成される。
しかしてリセットレバー６は、図１に示すように、操作ハンドル３のハンドルレバー３ａの背面上で上下両側片３１１間（図９参照）に配置され、各レバー部材６１の軸挿通部６１３に作動レバー５の各レバー部材５１の中間部間にハンドル回転軸３２と平行に架け渡される軸５３が挿通されて、押圧作動部６１２で作動レバー５の右端を押圧回動可能に、押圧部６１１でロックプレート８をロックプレート取付部１８に押圧傾動可能に取り付けられる。作動レバー５が操作ハンドル３の作動レバー収納部３０内に収納されたことで、操作ハンドル３の背面上でリセットレバー６の配置スペースを十分に確保することができ、これにより、リセットレバー６は厚みを増やして補強することができ、作動レバー５の軸５３にスペーサリングを介してがたつきなく取り付けることができ、操作ハンドル３、作動レバー５、リセットレバー６間を簡単な構造にすることができる。
【００１９】
押棒４は、図１４に示すように、扉Ｄの背面側から扉Ｄを通して押棒挿通部１９に挿通され、リセットレバー６の押圧作動部６１２を本体ケース１の背面から正面方向へ押圧可能に組み込まれる。
この場合、押棒４は、シャフト４１と、シャフト４１の基端に着脱可能に取り付けられる押圧ノブ４２とからなる。シャフト４１は扉Ｄの背面から正面に貫通して形成された押棒挿通部Ｄ０を通して、先端が取付ベース１７の押棒挿通部１９に配置され、基端側はラッチ駆動機構Ｄの作動に必要なストロークを確保された所定の長さが貯蔵庫Ｆ内に突出されて、押圧ノブ４２が貯蔵庫Ｆ内に配置される。
しかして押棒４は、貯蔵庫Ｆ内で押圧ノブ４２を押してシャフト４１を扉Ｄの外に向けて所定のストロークだけ移動すると、シャフト４１の先端がリセットレバー６の押圧作動部６１２を押して、この押圧作動部６１２で作動レバー５の右端を押圧回動し、押圧部６１１でロックプレート８をロックプレート取付部１８に押圧傾動するように構成される。
【００２０】
このようにしてセフティーハンドルＨは、錠前ユニット７によりロックプレート８とラッチ２の係止溝２３との係合が解除された状態で、庫外の操作ハンドル３をコイルスプリング２５の付勢力に抗して起立方向に回動操作することにより、操作ハンドル３のフック３１及び作動レバー５の係止部５２でラッチ２を後退駆動してラッチ２を受け部Ｂから離脱し、錠前ユニット７によりロックプレート８とラッチ２の係止溝２３が係合された状態でも、庫内の押棒４の押し操作により、リセットレバー６によりロックプレート８とラッチ２の係止溝２３との係合を解除するとともに、作動レバー５を操作ハンドル３の作動レバー収納部３０から離脱回動し、作動レバー５の係止部５２でラッチ２を後退駆動するようになっている。
【００２１】
図１４にこのセフティーハンドルＨの扉Ｄへの取り付け例を示している。
図１４に示すように、貯蔵庫Ｆの正面の出し入れ口Ｆ０の一方の側縁部には、所定の位置に、断面略Ｌ字形の受け部Ｂが前方に突出して固着され、セフティーハンドルＨは、出し入れ口Ｆ０を開閉する扉Ｄの正面で回動側の端部所定の位置にラッチ２が受け部Ｂに係合可能に取り付けられる。
この場合、まず、本体ケース１の上下両側面の各溝１０１からキャップ１０７を取り外し、取付ベース１７から押棒４を引き抜く（図１参照）。なお、キャップ１０７を取り外すときは、キャップ１０７の係止端１１１と溝１０１の凸状部１０５との間にマイナスドライバーの先端を差し込み、この先端でキャップ１０７を持ち上げることにより、キャップ１０７を溝１０１から簡単に取り外すことができる（図４参照）。続いて、ラッチ２を受け部Ｂに向けて扉Ｄの所定の位置に取付ベース１７を当接し、扉Ｄの押棒挿通孔Ｄ０と取付ベース１７の押棒挿通部１９とを合わせて、扉Ｄの背面側から押棒４を押棒挿通孔Ｄ０に通して押棒４の先端を取付ベース１７の押棒挿通部１９に配置する。次いで、本体ケース１の上下両側面の各溝１０１から外部に現れた各取付ねじ挿通孔１０２に取付ねじを通し、各取付ねじを扉Ｄ側のねじ締結部に締め込んで固定する（図１参照）。これにより、常態として本体ケース１の左端開口部１１から突出されるラッチ２を貯蔵庫Ｆ側の受け部Ｂに係合させる。そして、本体ケース１の各溝１０１にキャップ１０７を溝側の係止部とキャップ側の被係止部との係合により装着する。この場合、キャップ１０７裏面の一対の支持部１１４を溝１０１の内周面に当接させて溝１０１上に支持し、キャップ１０７の係止端１１１の凹部１０９及び凸部１１０と溝１０１の凸状部１０５とを係合させ、キャップ１０７の係止爪１１３を溝１０１のスリット１０６に挿入して押し込むことにより、係止爪１１３先端の爪１１２を溝１０１のスリット１０６の端部縁部の外面を乗り超えてこの端部縁部の内面に係合させる（図４参照）。これにより、本体ケース１の各溝１０１は各取付ねじとともに本体ケース１の上下両側面上に現れない。また、操作ハンドル３はハンドル回転軸３２がケース１０内部の軸受１１８に支承されているので、ハンドル回転軸３２は本体ケース１の両側面上に露出されない。しかも、本体ケース１は、ケース１０のラッチ２の進退方向に対して直角方向の断面の基本形状が略等脚台形で、上下の両側面が正面側から背面側に向けて末広がりに、かつ正面とその周囲の各面との間及び正面の周囲の各面間が曲線的に形成され、さらに、上下の各側面の左端側にそれぞれ左端面に向けて漸次幅狭になるテーパが付けられて、全体として略流線形になっていて、操作ハンドル３がこの流線形の本体ケース１の正面に一体的に嵌合されているので、全体としてデザインの意匠的効果に優れ、また、本体ケース１の表面は塵埃が溜まりにくく、拭き掃除をする場合でも、障害になる箇所が極めて少なく、清掃もしやすくなっている。
【００２２】
図１５乃至図１９にこのセフティーハンドルの具体的な使用例を示している。
図１５に示すように、通常、貯蔵庫Ｆの出し入れ口Ｆ０は扉Ｄにより閉じられており、この状態がセフティーハンドルＨにより保持される。すなわち、ラッチ２がばね部材２５により常態としてラッチ取付部１１２の開口部１１に向けて付勢され、ラッチ２左端の爪部２２が開口部１１から突出されて、受け部Ｂに係合される。この場合、ばね部材２５が２重のコイルスプリングになっているので、十分な付勢力が得られ、ラッチ２と受け部Ｂは確実かつ安定的に係合される。そして、この状態では、本体ケース１内においてロックプレート取付部１８のロックプレート８がばね手段８５の付勢力によりロックプレート取付部１８からラッチ２方向に傾動されてラッチ２の係止溝２３に係合され、錠前ユニット７は施錠状態でロックカム７２の円弧状カム部７２２がロックプレート８のガイド片８４１の縁部に接するのみで、ラッチ２が後退駆動を規制されてロックされ、これによりラッチ２と受け部Ｂとの係合が保持される。つまり、操作ハンドル３を本体ケース１のハンドル装着部１４から引き起し回動して、ラッチ２のラッチ軸２４に係合されたフック３１を作動レバー５の係止部５２とともに回動させ、ラッチ２をラッチ取付部１２の右端方向に後退させようとしても、ラッチ２の係止溝２３にロックプレート８が係合されていてラッチ２の後退方向の動きが規制されるため、ラッチ２と受け部Ｂとの係合を解除することができない。したがって、錠前ユニット７の施錠を鍵で解除しない限り、扉Ｄを開けることができない。
なお、このセフティーケースＨは、既述のとおり、ケース１０の上下両側面の右端で正面側の縁部に近接する位置と、操作ハンドル３のハンドルレバー３ａの右端部にそれぞれ、南京錠の掛け金用の穴が円形に穿設されており、操作ハンドル３がハンドル装着部１４の開口１３内に倒伏された状態で、これらの穴が連通されるので、これらの穴に南京錠の掛け金を通して施錠することができる。
そして、貯蔵庫Ｆの出し入れ口Ｆ０を開放するため、扉Ｄを開けるときは、図１６に示すように、鍵Ｋを錠前ユニット７の鍵穴７０に挿入してロータ７１を解錠方向に回すことにより、ロックカム７２の円弧状カム部７２２がロックプレート８先端のガイド片８４１から受圧部８４に向けて回動されて受圧部８４を押圧係合しながら、ロックプレート８全体をロックプレート取付部１８に押圧傾動し、ラッチ２背面の係止溝２３から離脱させる。これによりラッチ２の後退駆動の規制が解除される。そして、図１７に示すように、操作ハンドル３を本体ケース１のハンドル装着部１４から引き起し回動させることによって、ラッチ軸２４に係合された操作ハンドル３のフック３１、作動レバー５の係止部５２がともにハンドル装着部１４の右端方向に回動されて、ラッチ２がラッチ取付部１２で後退駆動されて、ラッチ２と受け部Ｂとの係合が解除される。このまま操作ハンドル３を使って、扉Ｄを引き、貯蔵庫Ｆの出し入れ口Ｆ０を開放する。なお、この一連の操作ハンドル３の操作によるラッチ駆動機構Ｄの作動は、作動レバー５の補強とがたつきのない確実な取り付けにより、確実かつ円滑に行われる。また、この操作ハンドル３の操作に際し、ハンドル回転軸３２に負荷が掛かり、軸受１１８に本体ケース１を外側に広げようとする力が作用しても、軸受１１８の各小径部１２１とハンドル回転軸３２の突状補強部３２１との係合により（図６参照）、その力が軽減され、本体ケース１が保護される。
また、扉Ｄを閉じるときは、反対に、操作ハンドル３を使って、扉Ｄを押して、貯蔵庫Ｆの出し入れ口Ｆ０を閉塞し、操作ハンドル３をばね部材２５の付勢力により回動させてハンドル装着部１４に戻すことにより、操作ハンドル３のフック３１、作動レバー５の係止部がともにハンドル装着部１４の左端方向に回動されて、ラッチ２がラッチ取付部１２で前進駆動され、ラッチ２と受け部Ｂが係合される。そして、錠前ユニット７の鍵を施錠方向に回すことにより、ロックカム７２の円弧状カム部７２２をロックプレート８先端の受圧部８４からガイド片８４１に向けて回動し受圧部８４に対する押圧係合を解きながら、ロックプレート８全体をばね手段８５によりロックプレート取付部１８からラッチ２に向けて押圧傾動し、ラッチ２背面の係止溝２３に係合させる。これによりラッチ２の後退駆動が規制され、ロック状態になる。
また、作業者が出し入れ口Ｆ０を通じて貯蔵庫Ｆ内に入り、貯蔵物を出し入れするため、作業者が貯蔵庫Ｆ内で作業をしている間に扉Ｄが閉じられて、閉じ込められた場合は、庫内で押棒４を押せばよい。すなわち、図１８、図１９に示すように、庫内に配置される押棒４の押圧ノブ４２を押して押棒４を庫外に向けて所定のストロークたけ押し込むと、本体ケース１内でシャフト４１の先端によりリセットレバー６の押圧作動部６１２が押されてリセットレバー６が作動レバー５側に回動され、リセットレバー６の押圧部６１１でロックプレート８をロックプレート取付部１８に押圧傾動するとともに、リセットレバー６の押圧作動部６１２で作動レバー５の右端を押圧回動する。これにより、錠前ユニット７は施錠状態のままで、ロックプレート８がロックプレート取付部１８に押圧傾動されて、ラッチ２背面の係止溝２３から離脱され、ラッチ２の後退駆動の規制が解除される。同時に、操作ハンドル３がハンドル装着部１４内に倒伏された状態で、ラッチ軸２４に係合された作動レバー５が操作ハンドル３の作動レバー収納部３０からハンドル装着部１４の右端方向に離脱回動されて、ラッチ２がラッチ取付部１２で後退駆動されて、ラッチ２と受け部Ｂとの係合が解除される。このまま押棒４の押圧ノブ４２を使って扉Ｄを押すと、扉Ｄが開き、貯蔵庫Ｆの出し入れ口Ｆ０が開放される。なお、この押棒４の操作によるラッチ駆動機構Ｄの作動は、作動レバー５及びリセットレバー６の補強とがたつきのない確実な取り付けにより、確実かつ円滑に行われる。したがって、作業者は貯蔵庫Ｆから安全に脱出することができる。
【００２３】
以上説明したように、このセフティーハンドルＨによれば、本体ケース１の左端側に取り付けられ、本体ケース１左端面の開口部１１から爪部２２が出没可能に配置され、本体ケース１内の作動レバー５、リセットレバー６、錠前ユニット７、ロックプレート８からなるラッチ駆動機構Ｄに作動連結されるラッチ２と、本体ケース１の右端側で正面の中間部から左端面にかけて形成される開口１３内にハンドル回転軸３２を介して起伏回動可能に装着され、本体ケース１内のラッチ駆動機構Ｄに作動連結される操作ハンドル３と、本体ケース１背面の取付ベース１７に正面の開口１３に対向して形成される押棒挿通部１９に挿通され、本体ケース１内のラッチ駆動機構Ｄに作動連結される押棒４とを備え、錠前ユニット７を解錠した状態から、庫外の操作ハンドル３を起立方向に回動操作することにより、操作ハンドル３のフック３１及び作動レバー５の係止部５２でラッチ２を後退駆動してラッチ２を受け部Ｂから離脱させ、庫内の押棒４の押し操作により、錠前ユニット７が施錠状態でも、リセットレバー６を介してロックプレート８とラッチ２の係止溝２３との係合を解除するとともに、作動レバー５を操作ハンドル３の作動レバー収納部３０から離脱回動し、作動レバー５の係止部５２でラッチ２を後退駆動するようにしたので、貯蔵庫Ｆの扉Ｄの通常の施錠、解錠を含む開閉動作に加え、貯蔵庫Ｆ内でも施錠状態で閉じられた扉Ｄを開くことができ、貯蔵庫Ｆ内に作業者が閉じ込められた場合に、貯蔵庫Ｆ内から安全に脱出することができる。
そして、このセフティーハンドルＨでは、特に、作動レバー５は、左端に係止部５２を有し、ハンドル装着部１４のハンドル回転軸３２に回動可能に取り付けられて、左端側が操作ハンドル３の作動レバー収納部３０に離脱可能に収納され、右端が押棒挿通部１９に延ばされ、操作ハンドル３の起立方向の回動操作により操作ハンドル３のフック３１とともに係止部５２をハンドル装着部１４の右端方向に回動されてラッチ２を後退駆動し、また、作動レバー５の右端に本体ケース１の背面側から正面方向への押圧を受けることにより、係止部５２を作動レバー収納部３０からハンドル装着部１４の右端方向に離脱回動し、操作ハンドル３のフック３１から独立してラッチ２を後退駆動するようにし、また、リセットレバー６は、左端に押圧部６１１を有し、右端に押圧作動部６１２を有し、作動レバー５の中間部でハンドル装着部１４のハンドル回転軸３２よりも作動レバー５の右端側にハンドル回転軸３２と平行に配設される軸５３を介して回動可能に取り付けられて、押圧部６１１がロックプレート８上に配置されるとともに押圧作動部６１２が押棒挿通部１９と作動レバー５の右端との間に配置され、押圧作動部６１２に本体ケース１の背面側から正面方向の押圧を受けて、押圧作動部６１２で作動レバー５の右端を押圧回動するとともに、押圧部６１２２でロックプレート８をロックプレート取付部１８に押圧傾動させるようにしており、作動レバー５が操作ハンドル３の作動レバー収納部３０に収納されて、通常は操作ハンドル３のフック３１とともに駆動されるので、作動レバー５を操作ハンドル３のフック３１により補強することができ、作動レバー収納部３０内にがたつきなく取り付けることができ、また、作動レバー５が操作ハンドル３の作動レバー収納部３０内に収納されることで、操作ハンドル３の背面上でリセットレバー６の配置スペースを十分に確保することができ、これにより、リセットレバー６を厚みを増やして補強することができ、作動レバー５の軸５３にスペーサリングを介してがたつきなく取り付けることができ、操作ハンドル３、作動レバー５、リセットレバー６間を簡単な構造にすることができる。かかる構造により、操作ハンドル３の回動操作及び押棒４の押し操作によるラッチ２の進退駆動を確実かつ円滑に行うことができる。
【００２４】
さらに、このセフティーハンドルＨでは、次のような利点を有する。
（１）操作ハンドル３のフック３１は、操作ハンドル３背面の左端で幅方向中央に形成され、操作ハンドル３の作動レバー収納部３０は、操作ハンドル３背面の左端でフック３１の両側に作動レバー５が嵌合可能な溝形に形成され、作動レバー５は、一対のレバー部材５１からなり、作動レバー収納部３０に収納されるようにしたので、作動レバー５を操作ハンドル３のフック３１により十分に補強することができ、また、作動レバー５を作動レバー収納部３０内に簡易にがたつきなく確実に取り付けることができる。
（２）操作ハンドル３のフック３１は、略カマ状に形成され、作動レバー５は、全体が略への字形に形成されて、係止部５２が操作ハンドル３のフック３１と略同じカマ状に形成され、リセットレバー６は、全体が略への字形に形成されて、押圧部６１１が略ナタ状に形成され、押圧作動部６１２が略羽状に形成されるので、作動レバー５を作動レバー収納部３０内に、より簡易にがたつきなく確実に取り付けることができ、リセットレバー６を操作ハンドル３の背面と同一の列で作動レバー５に、より簡易にがたつきなく確実に取り付けることができる。
（３）本体ケース１のラッチ取付部１２は、常態のラッチ２の設置位置においてラッチ２の長さ方向中間部に本体ケース１の開口部１１に対向して立設され、コイルスプリングの端部を押え可能な略平板状の第１のばね押え部材１１６と、このばね押え部材１１６に近接して並設され、コイルスプリングの端部側の周囲を押え可能な略半円形の保持部を有する第２のばね押え部材１１７とを有し、ラッチ２は、左端側を断面コ字形で爪形に形成されて連結される一対のフレーム２１からなり、ラッチ２全体の外形をなす本体部２０と、本体部２０の各フレーム２１の左端側の断面コ字形内に嵌め込み固定され、ラッチ２の爪部２２をなす爪部材２２１と、本体部２０の各フレーム２１の右端間に架設され、操作ハンドル３のフック３１、作動レバー５の係止部５２に係合されるラッチ２の他端をなすラッチ軸２４とを有し、爪部材２２１のラッチ２右端方向に向けられる面にコイルスプリングの端部が嵌合可能に凹部２１８が形成されて、ラッチ２はラッチ取付部１２に設置され、ラッチ２のばね部材として大径のコイルスプリング２５Ｌに小径のコイルスプリング２５Ｓが組み込まれてなる２重のコイルスプリング２５が一端を爪部材２２１の凹部２１８に嵌合され、右端をラッチ取付部１２内の第１のばね押え部材１１６により、右端の周囲を第２のばね押え部材１１７により押えられて、爪部材２２１と第１のばね押え部材１１６との間に配置されるので、２重のコイルスプリング２５をラッチ２とラッチ取付部１２との間でかつラッチ２と同芯上に安定良く設置することができ、ラッチ２をラッチ取付部１２の外部に十分な付勢力により突出させることができる。
【００２５】
また、このセフティーハンドルＨによれば、本体ケース１は、ラッチ２の進退方向に対して直角方向の断面の基本形状を略等脚台形とし、両側面を正面側から背面側に向けて末広がりに、かつ正面とその周囲の各面との間及び正面の周囲の各面間を曲線的に形成して全体として略流線形の形状にしたので、本体ケース１の意匠的デザインを向上させることができ、併せて本体ケース１の表面にごみが溜まりにくく、清掃をしやすくすることができる。
【００２６】
さらに、このセフティーハンドルＨでは、次のような利点を有する。
（１）本体ケース１の末広がりの両側面の両端側にそれぞれ背面に対して略直角に略Ｕ字形の溝１０１が形成されて、各溝１０１の奥側の面に取付ねじ挿通孔１０２を穿設され、各溝１０１に各側面と一体的な面をなすキャップ１０７が溝側の係止部とキャップ側の被係止部との係合により着脱可能に装着されるので、従来のような羽状の取付部をなくし、取付ねじの本体ケース１表面からの露出をなくして、本体ケース１の意匠的デザインを向上させることができ、また、取付ねじにごみが付着するのを防止して、本体ケース１の表面にごみを溜まりにくくし、通常は本体ケース１をキャップ１０７とともに拭き掃除をすればよく、清掃をしやすくすることができる。
また、この場合、溝側の係止部は、溝１０１の取付ねじ挿通部１０２側の開口縁部に突出される凸状部１０５と、断面略Ｕ字形の内周面の略中央に本体ケース１の正面側から背面側に向けて形成されるスリット１０６とを有し、キャップ側の被係止部は、キャップ１０７の溝１０１の取付ねじ挿通部１０２側に対応する端部の表面側に形成され、溝側の係止部の凸状部１０５が嵌合可能な凹部１０９、及び当該端部の裏面側に形成され、溝側の係止部の凸状部１０５の内側に係合可能な凸部１１０からなる係止端１１１と、キャップ１０７の裏面の中央に溝側の係止部のスリット１０６に挿入可能に突設され、先端にスリット１０６の縁部内面に係合可能な爪１１２を有する係止爪１１３と、キャップ１０７の裏面の係止端１１１側に溝１０１の断面略Ｕ字形の内周面に当接し、キャップ１０７を溝１０１上で支持するための支持部１１４とを有し、キャップ１０７裏面の支持部１１４を溝１０１の内周面に当接させて溝１０１上に支持し、キャップ１０７の係止端１１１の凹部１０９及び凸部１１０と溝１０１の凸状部１０５とを係合させ、キャップ１０７の係止爪１１３を溝１０１のスリット１０６に挿入して押し込むことにより、係止爪１１３先端の爪１１２を溝１０１のスリット１０６の端部縁部の外面を乗り超えてこの端部縁部の内面に係合させることにより、キャップ１０７を溝１０１に取り付けるので、キャップ１０７をワンタッチで取り付けることができる。また反対に、キャップ１０７の係止端１１１と溝１０１の凸状部１０５との間にマイナスドライバーの先端を差し込み、この先端でキャップ１０７を持ち上げることで、キャップ１０７を溝１１から簡単に取り外すことができる。
（２）操作ハンドルＨは、左端側にハンドル回転軸３２が通され、ハンドル回転軸３２が本体ケース１の正面の中央部から右端にかけて形成される開口１３の左端側で当該開口１３の両側の内側面にそれぞれハンドル回転軸３２の径と略同じ深さの断面略Ｕ字形に形成される凹部１１９と、凹部１１９上に跨って設置され、取付ねじにより固定されるプレート１２３とからなる軸受１１８に支承されて、本体ケース１の開口１３内に装着され、ハンドル回転軸３２は本体ケース１の両側面に露出されないので、この点でも、本体ケース１の意匠的デザインを向上させることができ、併せて本体ケース１の表面にごみが溜まりにくく、清掃をしやすくすることができる。
また、この場合、ハンドル回転軸３２の両端側にそれぞれ小径部３２１を有し、軸受１１８は、各凹部１１９が開口１３の上下の各縁部からケース１０の上下の各側面までの間に各側面を穿つことなく形成され、また、開口１３側から順次ハンドル回転軸３２の径より少し大きい大径部１２０、ハンドル回転軸３２の径と略同じか僅かに大きい中径部１２２、ハンドル回転軸３２の径よりも小さい小径部１２１、ハンドル回転軸３２の径と略同じか僅かに大きい中径部１２２が形成されて、中径部１２２と中径部１２２との間の小径部１２１が突状補強部になっていて、ハンドル回転軸３２は両端側が軸受１１８の略Ｕ字形の凹部１１９に挿入されて、両端側の小径部３２１の内側の部分が凹部１１９の大径部１２０、中径部１２２に嵌合され、小径部３２１が、小径部１２１、すなわち突状補強部１２１に係合され、小径部３２１の外側の部分が中径部１２２に嵌合されて、この凹部１１９上に取付ねじにより固定されるプレート１２３により保持されるので、操作ハンドル３の操作時にハンドル回転軸３２に強い負荷が掛かり、軸受１１８に本体ケース１を外側に広げようとする力が作用しても、軸受１１８の各突状補強部１２１とハンドル回転軸３２の小径部３２１との係合により、その力を軽減し、本体ケース１を保護することができる。
【００２７】
なお、この実施の形態では、本体ケース１の、ケース１０のラッチ２の進退方向に対して直角方向の断面の基本形状を略等脚台形としたが、不等脚台形としもよく、また、略Ｄ形としてもよく、このようにしても上記実施の形態と同様の作用効果を奏することができる。
【符号の説明】
【００２８】
Ｆ  貯蔵庫
Ｆ０  出し入れ口
Ｂ  受け部
Ｄ  扉
Ｄ０  押棒挿通部
Ｈ  密閉用セフティーハンドル
１  本体ケース
１０  ケース
１１  開口部
１２  ラッチ取付部
１３  開口
１４  ハンドル装着部
１５  開口
１６  錠前ユニット挿着部
１７  取付ベース
１８  ロックプレート取付部
１９  押棒挿通部
１００  開口
１０１  溝
１０２  取付ねじ挿通孔
１０３  取付ボス
１０４  穴
１０５  凸状部
１０６  スリット
１０７  キャップ
１０９  凹部
１１０  凸部
１１１  係止端
１１２  爪
１１３  係止爪
１１４  支持部
１１５  取付ボス
１１６  第１のばね押え部材
１１７  第２のばね押え部材
１１８  軸受
１１９  凹部
１２０  大径部
１２１  小径部（突状補強部）
１２２  中径部
１２３  プレート
１２４  切り欠き
１２５  取付ねじ挿通孔
２  ラッチ
２０  本体部
２１  フレーム
２１ａ  側面フレーム
２１１  凸起
２１２  凸状部
２１３  ラッチ軸挿通孔
２１ｂ  中間フレーム
２１４  突状片
２１５  突状部
２１６  溝
２１７  溝
２１８  凹部
２１９  凹部
２２  爪部
２２１  爪部材
２３  係止溝
２４  ラッチ軸
２５  コイルスプリング（ばね部材）
２５Ｌ  コイルスプリング
２５Ｓ  コイルスプリング
３  操作ハンドル
３ａ  ハンドルレバー
３ｂ  ハンドルグリップ
３０  作動レバー収納部
３１  フック
３１０  軸挿通部
３１１  上下両側片
３１１Ｓ  小片部
３１１Ｌ  大片部
３２  ハンドル回転軸
３２１  小径部
３３  穴
４  押棒
４１  シャフト
４２  押圧ノブ
Ｄ  ラッチ駆動機構
５  作動レバー
５０  軸挿通部
５１  レバー部材
５２  係止部
５３  軸
６  リセットレバー
６１  レバー部材
６１１  押圧部
６１２  押圧作動部
６１３  軸挿通部
７  錠前ユニット
７０  鍵穴
７１  ロータ
７２  ロックカム
７２１  円筒部
７２２  円弧状カム部
Ｋ  鍵
８  ロックプレート
８０  取付ねじ挿通孔
８１  固定部
８２  可動部
８２１  張り出し部
８３  屈曲部
８４  受圧部
８４１  ガイド片
８５  コイルスプリング（ばね手段）
【図１】
0006684084.tif 000002
【図２】
0006684084.tif 000003
【図３】
0006684084.tif 000004
【図４】
0006684084.tif 000005
【図５】
0006684084.tif 000006
【図６】
0006684084.tif 000007
【図７】
0006684084.tif 000008
【図８】
0006684084.tif 000009
【図９】
0006684084.tif 000010
【図１０】
0006684084.tif 000011
【図１１】
0006684084.tif 000012
【図１２】
0006684084.tif 000013
【図１３】
0006684084.tif 000014
【図１４】
0006684084.tif 000015
【図１５】
0006684084.tif 000016
【図１６】
0006684084.tif 000017
【図１７】
0006684084.tif 000018
【図１８】
0006684084.tif 000019
【図１９】
0006684084.tif 000020
【図２０】
0006684084.tif 000021
【図２１】
0006684084.tif 000022